(57)【要約】      （修正有）【課題】取り扱いや構成の変更が容易で、現実的な質感を有する胸像を提供する。【解決手段】板状の台座１と、人物の絵柄が付される袋体２とを備え、袋体は、台座を被覆する胸像である。好ましくは、台座は、立体的に形成される立体胸部３を有し、立体胸部は、台座に取り付け可能に設けられている。好ましくは、袋体は、人物の胸部の絵柄が付される胸部描画部を有し、立体胸部は、胸部描画部に対応する位置に設けられている。【選択図】図１
0003234579.tif 000002
【実用新案登録請求の範囲】
【請求項１】
板状の台座と、人物の絵柄が付される袋体と、を備え、
前記袋体は、前記台座を被覆する胸像。
【請求項２】
前記台座は、立体的に形成される立体胸部を有し、
前記立体胸部は、前記台座に取り付け可能に設けられている請求項１に記載の胸像。
【請求項３】
前記袋体は、人物の胸部の絵柄が付される胸部描画部と、を有し、
前記立体胸部は、前記胸部描画部に対応する位置に設けられている請求項２に記載の胸像。
【請求項４】
前記立体胸部は、前記台座を取り囲んで設けられる支持布によって支持される請求項２又は３に記載の胸像。
【請求項５】
前記台座は、側面から中心部へ向かうくびれ部を有する請求項１〜４の何れかに記載の胸像。
【請求項６】
前記袋体は、前記くびれ部に対応する袋くびれ部を有する請求項５に記載の胸像。
【請求項７】
前記袋体は、前記台座の全体を被覆する請求項１〜６の何れかに記載の胸像。
【考案の詳細な説明】
【技術分野】
【０００１】
本考案は、部品を適宜変更することで美感を様々に変更させることができる胸像に関する。
【背景技術】
【０００２】
胸像は、デッサンのモデルや、それ自体を鑑賞の目的にして使用される。そのため胸像はなるべくリアリティーが高いものが好ましい。しかしながら、精巧な立体像は重量が大きいうえ場所を取り、また製造コストが高いという問題があった。特許文献１はそのような問題に鑑みて、厚紙を折り曲げて形成した複数のパーツを連結した人形が提案されている。
【先行技術文献】
【特許文献】
【０００３】
【特許文献１】特開２００８―１７３３４６号公報
【考案の概要】
【考案が解決しようとする課題】
【０００４】
一方、特許文献１に記載のように、部材を厚紙で覆う構成にあっては、厚紙を適宜折り曲げる必要があり、構成の変更を行うことが難しいという課題点があった。
【０００５】
本考案は、上述の課題に鑑みて、取り扱いや構成の変更が容易で、現実的な質感を有する胸像を提供することを目的とする。
【課題を解決するための手段】
【０００６】
上記課題を解決する本考案は、板状の台座と、人物の絵柄が付される袋体と、を備え、前記袋体は、前記台座を被覆する胸像である。
前記袋体の絵柄を変更することによって構成の変更を容易にすることができるようになり、前記袋体が前記台座を被覆することによって、皮膚によって被覆される人間と同様の質感をもつ胸像を提供することができる。
【０００７】
本考案の好ましい形態では、前記台座は、立体的に形成される立体胸部を有し、前記立体胸部は、前記台座に取り付け可能に設けられている。
このように構成することによって、立体胸部を取り換えて構成の変更ができるようになる。
【０００８】
本考案の好ましい形態では、前記袋体は、人物の胸部の絵柄が付される胸部描画部を有し、前記立体胸部は、前記胸部描画部に対応する位置に設けられている。
このような構成にすることによって、胸部の質感をより現実的にすることができるようになる。
【０００９】
本考案の好ましい形態では、前記立体胸部は、前記台座を取り囲んで設けられる支持布によって支持される。
このような構成によって、前記立体胸部の取り付け強度を高めて、取り扱いを容易にすることができる。
【００１０】
本考案の好ましい形態では、前記台座は、側面から中心部へ向かうくびれ部を有する。
このような構成にすることによって、前記袋体が前記くびれ部に係止され、前記袋体が意図せず離脱することを防ぐことができる。
【００１１】
本考案の好ましい形態では、前記袋体は、前記くびれ部に対応する袋くびれ部を有する。
このように構成することによって、前記袋体の意図しない離脱をさらに防ぎ、また、前記くびれ部によって生じる弛みの発生を抑制することができる。
【００１２】
本考案の好ましい形態では、前記袋体は、前記台座の全体を被覆する。
このような構成にすることによって、台座の部分が完全に覆われ、より現実的な質感の胸像を提供することができる。
【考案の効果】
【００１３】
上記の構成によって、取り扱いや構成の変更が容易で、現実的な質感を有する胸像を提供することができる。
【図面の簡単な説明】
【００１４】
【図１】本考案の実施形態に係る、胸像の構成要素を表す斜視図である。
【図２】本考案の実施形態に係る、使用状態にある胸像の斜視図である。
【図３】本考案の実施形態に係る、台座を様々な角度から見た様子を表す説明図である。
【図４】本考案の実施形態に係る、袋体を表す模式図である。
【図５】本考案の実施形態に係る、立体胸部を様々な角度から見た様子を表す説明図である
【図６】本考案の実施形態に係る、立体胸部を支持布によって支持した様子を表す模式図である。
【考案を実施するための形態】
【００１５】
以下、図１〜６を用いて、本考案の実施形態に係る胸像について説明する。図１は、本実施形態に係る胸像を分解した際の模式図を表し、図２は本実施形態の考案における胸像が使用状態にある斜視図を表している。
なお、以下に示す各実施形態は本考案の一例であり、本考案を以下の各実施形態に限定するものではない。
また、実施形態における符号Ｘは、胸像を表す。
【００１６】
胸像Ｘは、図１に示すように、平板状に構成された台座１と、人物の絵柄が付された袋体２と、人物の胸部を模した立体胸部３と、によって構成されている。
上記構成部品について、台座１に立体胸部３を取り付け、その上に袋体２を覆いかぶせることによって、図２に示すような胸像Ｘを形成する。
【００１７】
台座１について、図３に示す。図３は、台座１を様々な方向から見た図を表しており、詳述すると、図３（ａ）は台座１の平面図を表し、図３（ｂ）は台座１の正面図を表し、図３（ｃ）は台座１の側面図を表し、図３（ｄ）は台座１の背面図を表し、図３（ｅ）は台座１の底面図を表している。
【００１８】
台座１は、図１に示すように、平板状の板材であって、立体胸部３を取り付けるためのくぼみである胸部取り付け部１１と、側面部から中心部に向けて形成されるくびれ部分であるくびれ部１２と、を有する。
【００１９】
また、台座１の高さ及び幅は５０ｍｍ〜６００ｍｍ、厚みはおよそ３ｍｍ〜３０ｍｍが想定されるが、好ましくは高さ及び幅を４００ｍｍ程度とし、立体胸部３と一般的な男性の掌のサイズを略同一とする。一方、台座１の大きさは、その用途や使用者の希望に合わせて任意に変更してもよく、等身大としてもよい。
【００２０】
また、台座１の側面部は、全体に丸め加工が施されている。これにより、全体にやわらかい印象をもたせることができる。また、袋体２によって被覆された状態にあっても台座１の角が当接することがないため袋体２を破れにくくすることができる。
【００２１】
また、台座１はウレタンや硬質ゴム等の比較的柔らかい触感を持ち、袋体２に被覆された状態において形状を維持することができる程度の剛性をもった素材で形成されていることが好ましい。これにより、胸像Ｘの質感をより現実に近いものにすることができる。なお、材質はこれに限らず木材や発泡材であってもよい。
さらに、台座１の表面は人体の皮膚に近い色で構成することが好ましく、これにより胸像Ｘの質感をさらに現実のものに近くすることができる。
【００２２】
また、本実施形態において台座１の背面は平坦であるが、壁に掛けられるようにフック部分を有していてもよい。その場合、袋体２の対応する位置に適宜孔を設ける。
【００２３】
胸部取り付け部１１は、後述する立体胸部３を取り付けるための凹部である。胸部取り付け部１１の形状は後述する胸部支持板３２と対応するように略台形状に形成されており、凹部の深さは胸部支持板３２の厚みと略同一である。これにより、胸部取り付け部１１と、立体胸部３とを嵌め合わせて取り付けることができる。
【００２４】
また、胸部取り付け部１１は、面ファスナーによって立体胸部３を固定するようにしてもよく、また、糊や接着剤によって立体胸部３の位置を固定するようにしてもよい。
【００２５】
くびれ部１２は、台座１の側面において、外側から内側に向けてくびれる部分であり、これにより被覆状態にある袋体２の脱落が起こりにくくなる。また、くびれ部１２は他部分よりも幅が狭いため把持して持ち運ぶことが容易になる。
【００２６】
袋体２は、略同一形状の２枚の布地（表面２１及び裏面２２）を縫合線２３に沿って縫合することによって形成されており、袋体２の内部と外部とを挿通する開口部２４と、くびれ部１２に対応する袋くびれ部２５と、を有する。
【００２７】
袋体２に関する説明図を図４に示す。図４（а）は袋体２の正面図を表している。本図における破線は、台座１を被覆した状態における胸部取り付け部１１の位置を表しており、一点破線は開口部２４の位置を表している。
また、図４（ｂ）は、袋体２を作成するための型であり、本図における実線は外枠を、破線は縫合線２３を、一点破線は開口部２４を表している。
【００２８】
また、袋体２は伸縮性を有する布地であり、伸縮していない状態において内容積を台座１よりも少し小さく形成する。これによって袋体２が台座１を密着するように被覆することができる。好ましくは、袋体２はトリコット生地であり、素材はポリエステルやウレタンであるとよい。
さらに好ましくは、袋体２を構成する生地の厚さを裏が透けて見える程度に薄くする。これにより、肌の色とした台座１が透けて見えるようになり、胸像Ｘの質感をより向上させることができるようになる。
【００２９】
表面２１は、ひょうたん型に切り出しされた平面状の布材であり、正面から見た台座１と略同一形状になるように設けられている。
【００３０】
また、表面２１には、人物の絵柄が外部から視認可能になるように付されている。絵柄を付す手段はプリントによることが好ましいが、その他の手段を用いて描かれていてもよい。本実施形態において人物の絵柄には、人物の頭部が描画される頭部描画部２Ａと、人物の胸部が描かれる胸部描画部２Ｂとが含まれる。
【００３１】
胸部描画部２Ｂについて詳述すると、図４（ａ）に示すように、ひょうたん形状のくびれている部分から下方の中心部分にかけて描かれており、袋体２に被覆された状態において、ここが胸部取り付け部１１ないしは立体胸部３と対応する位置となる。好ましくは、胸部描画部２Ｂから下方には人物が着る上衣が描かれる。
【００３２】
裏面２２は、表面２１と略同一の形状に形成された平面状の布材である。裏面２２には人物の後ろ姿が描画されていてもよい。
【００３３】
縫合線２３は、表面２１及び裏面２２の外周部の２〜１０ｍｍ程度内側に、開口部２４の一端から他端に至るまで設けられており、表面２１及び裏面２２とも略同一位置に位置する。
【００３４】
開口部２４は、表面２１と裏面２２とが縫合されないことによって設けられる開口であり、袋体２の内部と外部を挿通する。好ましくは、袋体２が台座１を被覆した際に立体胸部３の下方に位置するように設ける。これにより、袋体２が台座１の全体を覆うようにすることができる。
【００３５】
袋くびれ部２５は、くびれ部１２に対応するように設けたくびれ部分であり、袋くびれ部２５がくびれ部１２に引っ掛かることによって袋体２の意図しない脱離や、皺の発生を抑止することができる。
【００３６】
ここで、袋体２を製造者が製造する方法について、図４（ｂ）を用いて詳述する。
まず、製造者は、図４（ｂ）の実線に沿って２枚の布地を切り出し、表面２１及び裏面２２を形成する。次に、製造者は、２枚の布地を重ね合わせた状態で縫合線２３に沿って縫合する。最後に、開口部２４を利用して裏表をひっくり返すことによって袋体２を形成する。
【００３７】
立体胸部３は、図５に示すように人間の胸部を模して形成された胸部本体３１と、胸部本体３１を支持する胸部支持板３２とによって設けられている。なお、図５は立体胸部３を様々な角度から見た図であり、図５（ａ）は立体胸部３の正面図を表しており、図５（ｂ）は側面図を表し、図５（ｃ）は背面図を表している。
【００３８】
胸部本体３１は、本実施形態においては、女性の乳房を模して形作られる双丘状のシリコン部材である。
素材をシリコンにすることにより、より現実的な質感のある胸像を提供することができるようになる。
【００３９】
胸部支持板３２は、胸部本体３１と一体に設けられる板状のシリコン部材である。前述のように、胸部取り付け部１１にはめ込んで取り付け可能になるように設けられている。なお、胸部支持板３２は、形状保持のために剛性の高い材で形成・補強されていてもよく、胸部本体３１を取り付け可能に構成してもよい。
【００４０】
支持布４は、台座１に付加的に設けられる布材であり、図６に示すように立体胸部３を支持して、立体胸部３の台座１からの脱落を防ぐ。
支持布４は、立体胸部３を支持する支持部本体４１と、台座１の裏面へ回り込んで留め具４２と、を有する。
なお、図６（ａ）は支持布４が立体胸部３を支持する様子を表す正面斜視図であり、図６（ｂ）は同様の状態における背面斜視図を表している。
【００４１】
支持部本体４１は、立体胸部３の少なくとも下方を被覆した状態で支持するように設けられた布材であり、立体胸部３の外形と略同一形状になるように立体的に形成されている。
これにより、立体胸部３の形状変化を防ぐとともに、形状を理想的な状態に保つことができるため、袋体２を取り付けた状態における胸像Ｘの質感をさらに向上させることができる。
【００４２】
留め具４２は、支持部本体４１を立体胸部３に対応する位置で固定するための帯状の布材であり、支持部本体４１と一体に設けられている。詳述すると、留め具４２は、支持部本体４１のそれぞれの側面部から台座１の背面へ回り込むように伸びており、背面の中心部において係止されるように形成されている。
この際、留め具４２は台座１のくびれ部１２によって係止される位置にある。これにより、留め具４２の摺動によって支持布４が脱落することを防止することができる。
なお、留め具４２の係止の方法は、ホックによる方法が好ましいが、面ファスナーやボタンによる方法によってもよい。
【００４３】
以下、図面を用いて本実施形態における胸像Ｘの使用方法について詳述する。胸像Ｘは、胸像Ｘを鑑賞する目的を持つ使用者によって使用される。なお、使用の方法は以下に限られず、またその順番は前後してもよい。
【００４４】
まず、使用者は、立体胸部３を台座１に取り付ける。本実施形態においては胸部取り付け部１１に胸部支持板３２をはめ込み固定することによって取り付ける。
【００４５】
次に、使用者は、支持布４を台座１に取り付ける。詳述すると、まず、立体胸部３を支持部本体４１の中に入れ込み、その状態を維持したまま留め具を台座の背面に回し、位置がずれないように係止する。なお、この工程は行わなくともよい。
【００４６】
最後に、使用者は、袋体２で台座１を被覆する。詳述すると、袋体２を開口部２４から台座１の曲線部分に覆いかぶせることによって、立体胸部３を含めた台座１の全体を被覆する。
【００４７】
上記操作によって、使用者は現実的な質感を有する胸像Ｘを鑑賞することができるようになる。
特に、本実施形態における胸像は、ただ鑑賞するのみならず、立体胸部３の感触を楽しむことができる。また、胸部における布のしわの状態などを現実的に再現することができるため、デッサン用途でも効果的な利用が可能となる。
【００４８】
また、使用者は、袋体２に描かれた人物の絵柄を様々に変更することによって、胸像Ｘの外観を様々に変更することができる。なお、ここでいう人物の絵柄には実在の人間をモチーフにしたものに限らず、デフォルメされたキャラクターなども含まれる。
同様に、使用者が立体胸部３の大きさや形状、質感を様々に変更できるように、立体胸部３を取り付け自在に構成してもよく、これにより外観の変更の自由度をさらに向上させることができる。
【符号の説明】
【００４９】
Ｘ      胸像
１      台座
１１    胸部取り付け部
１２    くびれ部
２      袋体
２１    表面
２２    裏面
２３    縫合線
２４    開口部
２５    袋くびれ部
２Ａ    頭部描画部
２Ｂ    胸部描画部
３      立体胸部
３１    胸部本体
３２    胸部支持板
４      支持布
４１    支持部本体
４２    留め具
【図１】
0003234579.tif 000003
【図２】
0003234579.tif 000004
【図３】
0003234579.tif 000005
【図４】
0003234579.tif 000006
【図５】
0003234579.tif 000007
【図６】
0003234579.tif 000008